(57)【要約】  本発明は、照明システム、オーディオ、ビデオ、香り又は以上のいずれかの組み合わせのための照明シーンを含む雰囲気プログラムの管理に関し、特に雰囲気生成システムにより生成されるべき雰囲気プログラムを快適に選択するためのユーザインタフェースに関する。本発明の基本的な着想は、雰囲気生成プログラムを用いてローカルに起動されるべき雰囲気プログラムをインタラクティブに選択するための機能と共に、雰囲気プログラムの集中的な制御を提供することである。このことは、例えば全てのチェーン店で一様な照明雰囲気を必要とし、照明シーンの所定のセットの中から快適な態様で選択を為す機能を店員に提供することを欲する、大型の小売りチェーンに特に有用である。本発明の一実施例は、データ接続を介してリモートにアクセス可能であり、雰囲気プログラムを保存する、サーバ１２と、該サーバにアクセスし、該サーバにより保存された該雰囲気プログラムを管理するためのユーザインタフェースを提供するための、リモート管理クライアント１４と、を有する雰囲気プログラム管理システム１０に関する。
2013500565.tif 000002
【特許請求の範囲】
【請求項１】
データ接続を介してリモートにアクセス可能であり、雰囲気プログラムを保存する、サーバと、
前記サーバにアクセスし、前記サーバにより保存された前記雰囲気プログラムを管理するためのユーザインタフェースを提供するための、リモート管理クライアントと、
を有する、雰囲気プログラム管理システム。
【請求項２】
前記サーバにアクセスし、雰囲気生成システムを用いて生成されるべき雰囲気プログラムを選択するためのユーザインタフェースを供給するための、少なくとも１つのクライアント雰囲気生成システムコントローラを更に有し、前記雰囲気生成システムは、前記クライアント雰囲気生成システムコントローラにより制御される、請求項１に記載のシステム。
【請求項３】
前記サーバは、
前記サーバにより保存された利用可能な雰囲気プログラムをリモートに表示し、
クライアント雰囲気生成システムコントローラにより、利用可能な雰囲気プログラムに対するアクセスをリモートに管理することを可能とする
ように構成された雰囲気管理プログラムを実行するように構成された、請求項２に記載のシステム。
【請求項４】
前記雰囲気管理プログラムは更に、雰囲気プログラムが選択されると、前記プログラムに関連する画像をロードしリモートに表示するように構成された、請求項３に記載のシステム。
【請求項５】
前記雰囲気管理プログラムは更に、
設置された雰囲気生成システムをリモートに表示し、
ドラッグアンドドロップ操作により、１つ以上の設置された雰囲気生成システムに対して、雰囲気プログラムをリモートに割り当てることを可能とする
ように構成された、請求項４に記載のシステム。
【請求項６】
前記雰囲気管理プログラムは更に、
設置された雰囲気生成システムを監視するウェブカメラからビデオデータを受信し、
前記受信されたビデオデータをリモートに表示する
ように構成された、請求項２乃至５のいずれか一項に記載のシステム。
【請求項７】
前記雰囲気管理プログラムは更に、前記ウェブカメラを制御することを可能とするように構成された、請求項６に記載のシステム。
【請求項８】
クライアント雰囲気生成システムコントローラが前記サーバからアクセス可能な雰囲気プログラムのリストをダウンロードし、前記クライアント雰囲気生成システムコントローラにより制御される雰囲気生成システムを用いて生成されるべき雰囲気プログラムを選択するためのユーザインタフェースにおいて前記ダウンロードされたアクセス可能な雰囲気プログラムを含むリストを表示するように構成された、請求項１乃至７のいずれか一項に記載のシステム。
【請求項９】
請求項１乃至８のいずれか一項に記載のシステムにおける利用のために構成された、クライアント雰囲気生成システムコントローラ。
【請求項１０】
前記クライアント雰囲気生成システムコントローラにより制御される雰囲気生成システムを用いて生成されるべき雰囲気プログラムを選択するためのユーザインタフェースを提供し、
ダウンロードされた雰囲気プログラムを起動するように前記雰囲気生成システムを制御する
ためのプログラムにより構成された、無線モバイル装置である、請求項９に記載のコントローラ。
【請求項１１】
雰囲気プログラムを管理するための方法であって、
サーバにより保存された利用可能な雰囲気プログラムをリモートに表示するステップと、
クライアント雰囲気生成システムコントローラにより利用可能な雰囲気プログラムに対するアクセスをリモートに管理することを可能とするステップと、
を有する方法。
【請求項１２】
雰囲気プログラムが選択されると、前記プログラムに関連する画像をロードしリモートに表示するステップと、
設置された雰囲気生成システムをリモートに表示するステップと、
ドラッグアンドドロップ操作により、１つ以上の設置された雰囲気生成システムに対して、雰囲気プログラムをリモートに割り当てることを可能とするステップと、
設置された雰囲気生成システムを監視するウェブカメラからビデオデータを受信するステップと、
前記受信されたビデオデータをリモートに表示するステップと、
設置された雰囲気生成システムを監視するウェブカメラを制御するステップと、
クライアント雰囲気生成システムコントローラ上で利用可能な雰囲気プログラムをリモートに起動することを可能とするステップと、
のうちの１つ以上を更に有する、請求項１１に記載の方法。
【請求項１３】
プロセッサが請求項１１又は１２に記載の方法を実行することを可能とする、コンピュータプログラム。
【請求項１４】
請求項１３に記載のコンピュータプログラムを保存するための記録担体。
【請求項１５】
請求項１１又は１２に記載の方法を実行するようにプログラムされたコンピュータ。
【発明の詳細な説明】
【技術分野】
【０００１】
本発明は、雰囲気生成システムのための雰囲気プログラムの管理に関し、特に雰囲気生成システムにより起動されるべき雰囲気生成プログラムを快適に選択するためのユーザインタフェースに関する。
【背景技術】
【０００２】
雰囲気生成システムは、所望の雰囲気を生成するために、特に部屋又はビルディングにおいて、照明、オーディオ、ビデオ、香り又はこれらのいずれかの組み合わせの生成を制御することを可能とする。雰囲気プログラムが、雰囲気生成システムを用いた雰囲気の生成を制御し、雰囲気生成に含まれる装置のための制御セットを有する。該制御セットは例えば、照明システムの照明器具のための制御セット、所望の香りを生成するための香り生成器のためのコマンド、特定のビデオ及び音声ファイルを再生するためのオーディオ／ビデオ機器のためのコマンド等である。雰囲気生成システムの一例は、たとえ単に照明の制御のみを可能とするものであっても、照明システムである。
【発明の概要】
【発明が解決しようとする課題】
【０００３】
現代の照明システムは、種々の照明シーンのなかからユーザが選択を為すことを可能とする。照明シーンは、特定の照明雰囲気を生成するための照明システムの照明器具の設定である。照明シーンはしばしば、例えば全ての店において一様な照明雰囲気を生成するために、チェーン店のようなプロフェッショナル環境において利用される。特に、多くのブランドのチェーン店は、ブランドイメージに関して独特であり、チェーンにおける全ての店でブランドイメージを同じにすることに熱心である。ブランドイメージの一部は、店内の照明雰囲気である。今日、店内に照明シーンを適用することは、コントローラの複雑さの問題、柔軟でなくフレンドリでないユーザインタフェース、大きな労力を要する設置及び作動、故障修理のための大きな労力、困難で大きな労力を要する場面生成工程、並びに高コストな照明器具のような、多くの困難に直面している。雰囲気生成システムは更に、制御パラメータ及び調節可能なパラメータの数が多いため、照明システムよりも困難である。斯くして、容易に利用できる照明プログラム管理のニーズが存在する。
【０００４】
本発明の目的は、より容易で快適な雰囲気プログラムの管理及び利用を可能とする、雰囲気生成システムのための雰囲気プログラムの管理のためのシステム及び方法を提供することにある。
【課題を解決するための手段】
【０００５】
本目的は、独立請求項の発明により解決される。更なる実施例は従属請求項に示される。
【０００６】
本発明の基本的な概念は、特に、例えば照明システムのような雰囲気生成システムを用いてローカルに生成されるべき照明シーンのような、雰囲気プログラムをインタラクティブに選択する機能を持つ、照明プログラムの集中制御を提供することである。このことは、全てのチェーン店で一様な雰囲気を必要とし、快適な方法で雰囲気プログラムの所定のセットのなかから店員が選択を為すことを可能とすることを欲する、大型の小売りチェーンに対して特に有用である。本発明は特に、例えば小売りチェーンのためのもののような雰囲気生成システムのために利用可能な雰囲気プログラムをリモートに管理することを可能とする。
【０００７】
本発明の一実施例は、
データ接続を介してリモートにアクセス可能であり、雰囲気プログラムを保存する、サーバと、
前記サーバにアクセスし、前記サーバにより保存された前記雰囲気プログラムを管理するためのユーザインタフェースを提供するための、リモート管理クライアントと、
を有する、雰囲気プログラム管理システムを提供する。
【０００８】
該システムは更に、前記サーバにアクセスし、雰囲気生成システムを用いて生成されるべき雰囲気プログラムを選択するためのユーザインタフェースを供給するための、少なくとも１つのクライアント雰囲気生成システムコントローラを更に有しても良く、前記雰囲気生成システムは、前記クライアント雰囲気生成システムコントローラにより制御されても良い。典型的には、該サーバ及びリモート管理クライアントは、別の場所にある２つの別個のコンピュータであるが、単一のコンピュータにより実行される２つの別個のプログラムとして実装されても良い。該リモート管理クライアントは、中央の／リモートのユーザインタフェースを実装し、該クライアント雰囲気生成システムコントローラは、ローカルのユーザインタフェースを実装する。このことは、リモートのコンピュータから雰囲気プログラム管理を集中的に制御すること、及びクライアント雰囲気生成システムコントローラを用いて雰囲気プログラムにローカルにアクセスすることを可能とする。例えば店員は、リモート管理クライアントを用いて本店から集中管理された該クライアント雰囲気生成システムコントローラを用いて、店内の雰囲気を生成することができる。特に、本実施例は、雰囲気プログラムの管理及び利用を、より容易且つ快適なものとする。
【０００９】
前記サーバは、
前記サーバにより保存された利用可能な雰囲気プログラムをリモートに表示し、
クライアント雰囲気生成システムコントローラにより、利用可能な雰囲気プログラムに対するアクセスをリモートに管理することを可能とする
ように構成された雰囲気管理プログラムを実行するように構成されても良い。
【００１０】
前記雰囲気管理プログラムは更に、雰囲気プログラムが選択されると、前記プログラムに関連する画像をロードしリモートに表示するように構成されても良い。このことは、ユーザが迅速に雰囲気を特定し、より快適に雰囲気選択を為すことを支援する。
【００１１】
前記雰囲気管理プログラムは更に、
設置された雰囲気生成システムをリモートに表示し、
ドラッグアンドドロップ操作により、１つ以上の設置された雰囲気生成システムに対して、雰囲気プログラムをリモートに割り当てることを可能とする
ように構成されても良い。斯くしてユーザは、別の店における雰囲気生成システムの異なる設定に、雰囲気プログラムを快適に割り当てることができる。
【００１２】
前記雰囲気管理プログラムは更に、
設置された雰囲気生成システムを監視するウェブカメラからビデオデータを受信し、
前記受信されたビデオデータをリモートに表示する
ように構成されても良い。このことは、雰囲気管理プログラムの利用を、より快適なものとし得る。なぜなら、ユーザが、ローカルの雰囲気生成システムに割り当てられた雰囲気、特に雰囲気生成システムの一例としてローカルの照明システムを用いて生成された照明シーンを、即座に監視することができるからである。
【００１３】
該雰囲気管理プログラムは更に、ウェブカメラを制御することを可能とするように構成されても良い。このことは、雰囲気生成システムを用いて生成された雰囲気を、ユーザがより好適に監視することを支援する。
【００１４】
クライアント雰囲気生成システムコントローラが前記サーバからアクセス可能な雰囲気プログラムのリストをダウンロードし、前記クライアント雰囲気生成システムコントローラにより制御される雰囲気生成システムを用いて生成されるべき雰囲気プログラムを選択するためのユーザインタフェースにおいて前記ダウンロードされたアクセス可能な雰囲気プログラムを含むリストを表示するように構成されても良い。
【００１５】
本発明の更なる実施例は、以上に記載された本発明のシステムにおける利用のために構成されたクライアント雰囲気生成システムコントローラに関する。
【００１６】
前記コントローラは、前記クライアント雰囲気生成システムコントローラにより制御される雰囲気生成システムを用いて生成されるべき雰囲気プログラムを選択するためのユーザインタフェースを提供し、
ダウンロードされた雰囲気プログラムを起動するように前記雰囲気生成システムを制御する
ためのプログラムにより構成された、無線モバイル装置であっても良い。例えば、該コントローラは、該プログラムを実行するスマートホン又はＰＤＡ（Personal Digital Assistant）であっても良い。該プログラムにより提供されるユーザインタフェースはウェブベースであっても良く、該ユーザインタフェースは、例えば定期的にサーバに接続して雰囲気プログラムを持つ更新されたウェブページが利用可能であるか否かをチェックすることにより、動的に更新されても良い。斯くしてユーザは、実際の雰囲気プログラムのみを自動的に見ることができる。該コントローラは更に、サーバにアクセスして該サーバから選択された雰囲気プログラムをダウンロードするためのプログラムにより構成されても良い。
【００１７】
本発明の更に他の実施例は、雰囲気プログラムを管理するための方法であって、
サーバにより保存された利用可能な雰囲気プログラムをリモートに表示するステップと、
クライアント雰囲気生成システムコントローラにより利用可能な雰囲気プログラムに対するアクセスをリモートに管理することを可能とするステップと、
を有する方法に関する。
【００１８】
該方法は更に、
雰囲気プログラムが選択されると、前記プログラムに関連する画像をロードしリモートに表示するステップと、
設置された雰囲気生成システムをリモートに表示するステップと、
ドラッグアンドドロップ操作により、１つ以上の設置された雰囲気生成システムに対して、雰囲気プログラムをリモートに割り当てることを可能とするステップと、
設置された雰囲気生成システムを監視するウェブカメラからビデオデータを受信するステップと、
前記受信されたビデオデータをリモートに表示するステップと、
設置された雰囲気生成システムを監視するウェブカメラを制御するステップと、
クライアント雰囲気生成システムコントローラ上で利用可能な雰囲気プログラムをリモートに起動することを可能とするステップと、
のうちの１つ以上を更に有しても良い。
【００１９】
本発明の一実施例は、プロセッサが以上に説明された本発明による方法を実行することを可能とするコンピュータプログラムを提供する。
【００２０】
本発明の更なる実施例によれば、例えばＣＤ−ＲＯＭ、ＤＶＤ、メモリカード、ディスケット、インターネットメモリ装置又はこれらに類似する光学的若しくは電子的アクセスのためのコントローラプログラムを保存するのに適したデータ担体のような、本発明によるコンピュータプログラムを保存する記録担体が提供され得る。
【００２１】
本発明の更なる実施例は、ＰＣ（Personal Computer）のような、本発明による方法を実行するようにプログラムされたコンピュータを提供する。該コンピュータは、本発明による雰囲気管理システムの中央サーバとして用いられても良い。
【００２２】
本発明のこれらの及び他の態様は、以下に説明される実施例を参照しながら説明され明らかとなるであろう。
【００２３】
本発明は、実施例を参照しながら、以下に詳細に説明される。しかしながら、本発明はこれら実施例に限定されるものではない。
【図面の簡単な説明】
【００２４】
【図１】本発明による雰囲気管理システムの一例としての、照明シーン管理システムの実施例である。
【図２】図１の照明シーン管理システムのサーバにより実行される照明シーン管理プログラムのユーザインタフェースの実施例である。
【図３】本発明によるクライアント照明システムコントローラとして機能するモバイル装置のローカルのユーザインタフェースの実施例を示す。
【発明を実施するための形態】
【００２５】
以下、機能的に類似する又は同一の要素は、同一の参照番号を持ち得る。「照明」、「照明ユニット」及び「照明器具」なる語は、以下同一のものに関連する。以下、本発明の実施例は、小売りチェーン用の照明シーン管理システムであって、該小売りチェーンの異なる店内に設置された照明システムを用いて生成することが可能な照明シーンの集中的で快適な管理を可能とするシステムの例により説明される。このことは、最小限の労力及びコストで、最大限のユーザの快適さを得るように、各店においてブランド照明を生成することを可能とする。以下に説明される本発明の実施例は照明システム及び照明シーン管理に関するものではあるが、本発明は当該用途に限定されるものではなく、例えば照明、オーディオ、ビデオ、香りを生成することが可能な多機能システム、音声と共に照明シーンを生成するためのシステム、香りと共に照明シーンを生成するためのシステム、又はビデオと共に照明シーンを生成するためのシステムのような、いずれの種類の雰囲気生成システムに提供されることができる。
【００２６】
図１は、店舗用の照明シーン管理システム１０を示し、該システムは、サーバ１２、リモート管理クライアント１４、クライアント照明システムコントローラ１６、及び該クライアント照明システムコントローラ１６により制御される照明システム１８を有する。例として１つの照明システム１８のみが示されているが、典型的には異なる店舗の幾つかの照明システムが管理される。
【００２７】
装置１２、１４及び１６は、インターネットのようなパケットデータネットワーク２４に接続され、例えばＴＣＰ／ＩＰ（Transmission Control Protocol/Internet Protocol）のような適切なプロトコルを介してパケットデータを交換できる。店内に設置された照明器具２８のローカルの制御のために店内に設置されたローカル照明システムコントローラ２６もまた、パケットデータネットワーク２４に接続される。
【００２８】
サーバ１２は、ウェブサーバプログラムを実行する標準的なパーソナルコンピュータ（ＰＣ）により実装されても良い。サーバ１２は、照明シーン、即ち照明シーンを生成するための照明システムの照明器具のプリセットを保存するデータベースプログラム３０を実行する。サーバ１２はまた、動的なウェブサイト又は専用のプログラムとして実装されても良い、ウェブサーバプログラムがホストとなり且つウェブブラウザプログラムを実行するいずれかのコンピュータからのアクセスを可能とする、照明シーン管理プログラムを実行する。照明シーン管理プログラムは、データベース３０へのアクセスを持ち、動的ウェブサイトにより生成されたものであっても良いユーザインタフェースを介した、データベース３０からの読み取り又はデータベース３０への保存を可能とする。該動的ウェブサイトはまた、クライアントコンピュータが、クライアント照明システムコントローラにより利用可能な照明シーンへのアクセスをリモートに管理することを可能とする。
【００２９】
照明シーン管理プログラムの管理機能への安全なアクセス（例えばｈｔｔｐプロトコルを利用することによる）が可能なクライアントコンピュータは、リモート管理クライアント１４であり、ウェブブラウザプログラムを実行するＰＣにより実装されても良い。代替としては、クライアント１４は、サーバ１２により実行される照明シーン管理プログラムへのアクセスのための、専用のリモートアクセスプログラムを実行しても良い。アクセスを許可されると、リモート管理クライアント１４は、照明シーン管理プログラムから、ユーザインタフェースを表示するためのデータを受信し、該データがサーバ１２におけるデータベース３０に保存された照明シーンをリモートに管理することを可能とする。
【００３０】
図２は、サーバ１２のモニタにローカルに表示される、又はリモート管理クライアント１４にリモートに表示される、ユーザインタフェースの一例を示す。該ユーザインタフェースは、例えばリモート管理クライアント１４により実行されるウェブブラウザのウィンドウのような、リモート管理クライアント１４により実行されるオペレーティングシステムのグラフィカルユーザインタフェースのウィンドウ３２に表示される。ウィンドウ３２は、利用可能な照明シーン（テーマと呼ばれる）のリスト３４を有し、これにより所望の照明シーンの選択を可能とする。照明シーン管理プログラムは、シーンを選択すると、照明シーンに関連する画像をロードして、リスト３４の下のボックス３６において表示する。該画像は、象徴的なアイコン（例えばバレンタインには「赤いハードマーク」）であっても良いし、当該シーンと合わせた店の写真例であっても良く、これによりユーザは、選択された照明シーン即ちテーマの印象を即座に得ることができる。第２のリスト３８は、小売りチェーンに属する全ての店舗を示す。リスト３８に示される店舗は、サーバ１２上のデータベース３０に保存された照明シーンへアクセスできても良い。アクセス許可は、サーバ１２上でローカルに管理されても良いし、又は以下に示すようにリモート管理クライアント１４により管理されても良い。リスト３８を利用することにより、どのシーンがローカルの店舗のそれぞれに利用可能であるかが決定されても良く、各シーンはリモートに起動されても良い。リモートのアクセス許可は、シーンを「利用可能なテーマ」リスト３２から、「店舗」リスト３８の関連する店舗の下へとドラッグアンドドロップすることにより、当該店舗へシーンを割り当てることにより実行されることができる。１つのテーマを、リスト３８の一番上の「ローカルの店舗」エントリへとドラッグすることにより、当該テーマを全ての店舗に割り当てることも可能である。リスト３８の或る店舗の下のテーマが「利用可能なテーマ」リスト３２へとドラッグされて戻されると、当該店舗については、当該テーマは利用可能なテーマリスト３８から削除され得る（「削除」機能）。同様のことは、ユーザが、リスト３８中のローカルの店舗の１つにおけるテーマを選択した後、削除ボタン（図示されていない）を押下した場合にも起こる。「利用可能なテーマ」のリスト３２は、これらシーンは全ての店舗に利用可能であるため、変化しない。シーンは典型的には、利用可能なテーマのリスト３８においてシーンをダブルクリック（又はエンターを選択）することにより起動される。該ユーザインタフェースはまた、店舗における照明の不慮の変更、及びそれによる当該店舗における不快感の形成を防ぐため、いずれのシーンを起動する前にも確認を求めても良い。ウィンドウ３８に表示されるシーンは、必ずしもサーバからダウンロードされた又はダウンロード可能なシーンに限定される必要はない。該シーンは、当該店舗にのみ利用可能なシーンを示しても良く、これらシーンはローカル照明システムコントローラに保存されても良いが、サーバに保存されても良く、この場合には、斯かるシーンがリスト３８において特殊な区別を付与され（例えば記号、目立つフォント又はテキスト色によって）、それにより当該シーンが当該店舗のみに利用可能であることを明らかにしても良い。
【００３１】
とり得る実施例の１つにおいては、全ての照明シーンが、照明システム１８において既にローカルに既知であっても良く、例えばローカル照明コントローラ２６にローカルに保存されていても良いが、アクセスがサーバ１２において集中的に付与されるまではアクセス不可能であっても良い。実装のための別の選択肢は、全てのシーンがサーバ１２上のデータベース３０にのみ集中的に保存され、ローカル照明コントローラ２６がイネーブルにされたときにはじめて該ローカル照明コントローラ２６へと転送されるというものである。
【００３２】
照明シーン管理プログラムはまた、店舗内に設置されたウェブカメラ２２におけるシーン変化の効果をチェックする機会を提供し、更に、該店舗の照明システム１８の照明器具２８により生成された照明を監視する。ユーザインタフェースのウィンドウ３２は、該店舗のローカル照明コントローラ２６から受信されたビデオデータ２０を表示するウィンドウ４０を有し、該コントローラはビデオデータ２０をパケットデータネットワーク２４を介してサーバ１２に送信し、該サーバ１２は照明シーン管理プログラムを実行する。更なるウィンドウ４２は、ウェブカメラを回転させたりズームさせたりすることのような、店舗内におけるウェブカメラ４２に対する完全な制御を提供する。斯くして、店内に生成される照明シーンをリモートに管理することが可能となる。代替として、ウェブカメラ２２は、パケットデータネットワーク２４を介してサーバ１２に直接に接続されても良い。
【００３３】
図３は、クライアント照明システムコントローラ１６として機能する、例えばスマートホン又はＰＤＡのようなモバイル装置におけるシーン起動のためのローカルのユーザインタフェースの一例を示す。該ローカルのユーザインタフェースは、モバイル装置により実行されサーバ１２にアクセスを付与するプログラムとして実装されても良い。該ユーザインタフェースは、図２に示されたユーザインタフェースにおいて照明シーン管理プログラムにより利用可能とされた関連する画像４６を伴うシーンのリスト４４を含む。該ローカルのユーザインタフェースは、動的に更新されても良い。実装時には、該ユーザインタフェースはウェブベースのユーザインタフェースであっても良く、サーバ上の照明シーン管理プログラムが該ユーザインタフェースを更新しても良い。該ウェブユーザインタフェースは、インターネット２４又はローカルのＷＬＡＮ（Wireless Local Area Network）を介してサーバ１２に接続され、利用可能なシーンを伴う更新されたウェブページが利用可能であるか否かを例えば２秒毎にチェックするように実装されても良い。
【００３４】
クライアント照明システムコントローラ１６のユーザインタフェースのリスト４４におけるエントリをユーザが選択すると、該コントローラ１６は、例えば店舗内のローカルＷＬＡＮを介して、ローカル照明システムコントローラ２６に、選択された照明シーンをインターネットを介してサーバ１２からダウンロードさせ、該ダウンロードされた照明シーンの設定に従って照明器具２８を制御することにより、該ダウンロードされた照明シーンに従って店内の照明を設定させるコマンドを、ローカル照明システムコントローラ２６に送信する。代替としては、クライアント照明システムコントローラ１６は、リスト４４におけるエントリの選択が為されると、インターネットを介してサーバ１２から照明シーンをダウンロードし、次いで該ダウンロードされた照明シーンをローカル照明システムコントローラ２６に送信しても良い。代替としては、クライアント照明システムコントローラ１６は、リスト４４におけるエントリの選択が為されると、ローカル照明システムコントローラ２６に、ユーザにより選択された既にローカルに利用可能な照明シーンを起動させるよう命令しても良い。
【００３５】
本発明は、照明シーンのような雰囲気を生成するように構成された全ての雰囲気生成システムに適用されることができる。特に、本発明は、小売りチェーンの幾つかの店舗又は店舗内店舗におけるように、異なる雰囲気生成システムを用いて雰囲気生成を集中的に制御及び管理するために利用されることができる。
【００３６】
本発明は特に、音楽、音声及び香りが照明について以上に説明されたものと同様に対処されるように、店内における雰囲気を生成するために適用されることができる。斯かる雰囲気プログラムは、照明（以上に説明したような態様で）、音楽（曲又はオーディオプレイリストの形で）、ビデオ（ビデオ又はビデオプレイリストの形で）及び香り（特定の香り又は香りプレイリストの形で）のためのプログラムを含んでも良い。
【００３７】
本発明の機能のうち少なくとも幾つかは、ハードウェアより実行されても良いし又はソフトウェアにより実行されても良い。ソフトウェアでの実装の場合、本発明を実装する単一の又は複数のアルゴリズムを処理するために、単一の又は複数の標準的なマイクロプロセッサ又はマイクロコントローラが利用されても良い。
【００３８】
「有する（comprise）」なる語は他の要素又はステップを除外するものではなく、「１つの（a又はan）」なる語は複数を除外するものではないことは、留意されるべきである。更に、請求項におけるいずれの参照記号も、本発明の範囲を限定するものとして解釈されるべきではない。
【図１】
2013500565.tif 000003
【図２】
2013500565.tif 000004
【図３】
2013500565.tif 000005
【国際調査報告】
2013500565.tif 000006
2013500565.tif 000007